(57)【特許請求の範囲】
【請求項１】
噴出器本体４下部外面から回動可能に垂設した装着筒５を容器体１口頸部外面へ着脱自在に嵌合させると共に、噴出器本体の下部内からは吸上げパイプ７を容器体内底部まで垂下し、又上記吸上げパイプの上部に、倒立時用液体吸込み機構部６を設けた、正倒立両用のトリガー式液体噴出容器において、上記吸上げパイプの少なくとも下部を屈曲して容器体の軸線に対して傾斜させ、かつ、上記吸上げパイプ７の下端開口８に近接させて、該パイプの下部に容器体の胴部方向に向けて上向きに開口する空気置換用の透孔９を穿設したことを特徴とする正倒立両用トリガー式液体噴出器。
【請求項２】
空気置換用透孔９の面積を、吸上げパイプ７の下端開口８の面積の二分の一以上としたことを特徴とする請求項１記載の正倒立両用トリガー式液体噴出容器。
【発明の詳細な説明】
【０００１】
【発明の属する技術分野】
本発明は、正倒立両用のトリガー式液体噴出容器に関する。
【０００２】
【従来の技術】
例えば実開平１−69658 号が示すように、正倒立両用のトリガー式液体噴出容器が知られている。該容器は従来広く知られかつ用いられている、正立状態で使用するトリガー式液体噴出容器の吸上げパイプ上部に、倒立時用の液体吸込み機構部を付設したもので、該機構部は容器正立状態にあっては従来の吸上げパイプから液体を吸上げし、倒立時にあってだけ、その機構部に設けた倒立時用液体吸込み路を通って液体が吸込みされるよう設けたものである。
【０００３】
該機構部は、その倒立時用液体吸込み路が容器正立時において、液面上方の容器体内空気を吸込むことを防止するため、その吸込み路途中に正立時用空気吸込み防止弁を有し、該弁は容器体倒立時には開弁するよう設けたものである。該弁は、容器体正立時にあっては必ず閉弁し、又容器体倒立時にあっては必ず開弁することを必要とするから、自重によって開閉弁する玉弁で形成することとなる。
【０００４】
【発明が解決しようとする課題】
上記正倒立両用のトリガー式液体噴出容器が、従来の正立用のトリガー式液体噴出容器が有しない欠点を有することを本発明者は発見した。
【０００５】
該欠点は次のようなものである。
【０００６】
トリガー式に限らず一般にポンプ式の液体噴出容器は、容器体内液体が液体噴出によって減少すると、液体補充のために容器体から噴出器本体を外し、液体補充後に再装着するが、上記のように容器体から噴出器本体を外して台上等へ載置させた際、既述空気吸込み防止弁は玉弁式であるために開弁し、よって吸上げパイプ内液体がその弁孔を通って、容器体口頸部外面への螺合用装着筒内に入り、噴出器本体再装着の際にその装着筒内液体が容器体口頸部の外面を伝わって漏出することである。
【０００７】
本来、噴出器本体内の液体吐出路の吸上げパイプ側には吸込み弁が、又ノズル側には吐出弁が設けられており、その吐出弁はその液体吐出路途中に設けられたシリンダ内の高圧化で開弁し、又その高圧状態解消により閉弁するよう設けられているから、正立用のトリガー式液体噴出容器の場合は、上記のように吸上げパイプを垂下させたままで噴出器本体を容器体から外し、台上等へ載置させても、吸上げパイプ上端からノズルまでの間で上記吐出弁が閉弁しているから、吸上げパイプは下端のみ開口することとなり、すると吸上げパイプ内への置換用空気の流入口がないため、又吸上げパイプは小径であるため、その下端開口はその吸上げパイプ内液体の表面張力により閉塞されたままとなって、上記のように噴出器本体を台上等へ載置させても、吸上げパイプ内液体は漏出しない。しかし正倒立両用のトリガー式液体噴出器の場合は既述玉弁式とした正立時用空気吸込み弁を吸上げパイプ上部に有するから、その玉弁開放により上記漏出を来すこととなるものであった。
【０００８】
本発明は、既述液体補充等のために噴出器本体を容器体から外し、上方へ引き上げて、吸上げパイプ下端が容器体内液面を離れたとき、その吸上げパイプ内へ置換用空気が入り、よって該パイプ内液体がすべて容器体内へ還流して、以後漏出することがないよう設けたものである。
【０００９】
【課題を解決するための手段】
第１の手段として、  噴出器本体４下部外面から回動可能に垂設した装着筒５を容器体１口頸部外面へ着脱自在に嵌合させると共に、噴出器本体の下部内からは吸上げパイプ７を容器体内底部まで垂下し、又上記吸上げパイプの上部に、倒立時用液体吸込み機構部６を設けた、正倒立両用のトリガー式液体噴出容器において、上記吸上げパイプの少なくとも下部を屈曲して容器体の軸線に対して傾斜させ、かつ、上記吸上げパイプ７の下端開口８に近接させて、該パイプの下部に容器体の胴部方向に向けて上向きに開口する空気置換用の透孔９を穿設したことを特徴とする。
【００１０】
第２の手段として、上記第１の手段を有すると共に空気置換用透孔９の面積を、吸上げパイプ７の下端開口８の面積の二分の一以上とした。
【００１１】
【発明の実施の形態】
以下図面について説明すると、１は容器本体で該本体は胴部２の前部を前方へ張出しして形成している。その容器本体は上部を小径とした胴部上端から口頸部３を起立している。
【００１２】
上記容器本体の口頸部外面へは、正倒立両用のトリガー式液体噴出器本体４の下端から回動可能に垂下させた装着筒５を螺合させている。又その液体噴出器本体下部内からは、倒立時用液体吸込み機構部６を介して吸上げパイプ７を長く垂下し、かつ該パイプの上下方向中間部を前方へ屈曲させてその下端を容器体前部の底部まで垂設している。又そのパイプの下端開口８に近接させて、該パイプの下部に空気置換用の透孔９を穿設している。該透孔の面積は、パイプ下端開口の面積の二分の一以上であること、望ましくは1.5 倍以上とするがよい。
【００１３】
上記倒立時用液体吸込み機構部６は、図示例において、上部材と中部材と下部材とで形成している。
【００１４】
これ等部材の説明に先だって、まず上部材を嵌合させる、噴出器本体の下部内部分について簡単に説明すると、11はシリンダおよび射出筒を有する垂直主筒12の外筒で、該外筒の下端開口を囲んで噴出器本体底面から基筒13を垂下している。又上記外筒11内へは連結部材14上部が形成する内筒15を嵌合させ、該内筒下部に付設した第１外向きフランジ16から、上記基筒13内面へ上部を嵌合させて連結筒17を垂下させ、該連結筒下部に付設した第２外向きフランジ18の基部上面へ上記基筒13下端面を載置させて、その第２外向きフランジ18の外周部上面へ、装着筒５上端の内向きフランジ5aを回動可能に係合させている。尚連結部材14の内筒15は、シリンダへの連通孔下方内面に吸込み弁を、又射出筒連通孔下方内面に通常弾性閉塞されていて、シリンダ内高圧化によって開弁する吐出弁を有する。
【００１５】
上部材21は、頂板22後部に貫設して高く起立した第３通路筒23上部を既述内筒15の下部内へ嵌合させ、又頂板22外周から、上部を小外径とした周壁24を垂下する。該周壁前部の大径部分上部には、倒立時用液体吸込み孔25を穿設しており、又該吸込み孔を有する周壁部分内面には後述のガイド板26を縦設している。
【００１６】
中部材31は、上記上部材の第３通路筒23の下部外面へ第２通路筒32の上半部を嵌合させ、又その第２通路筒32下端に付設した外向きフランジ状頂板33外周から短筒34を垂下して、該短筒を既述上部材周壁24の液体吸込み孔25下方部分内面へ嵌合させている。その頂板33は第２通路筒32に対して前方へ偏心させて付設され、その頂板前部には凹部35を設け、かつ該凹部の底板前部に弁孔36を穿設して、その凹部内へ玉弁37を載置させている。その凹部上方は周囲を囲んで弁室38に形成し、又既述ガイド板26の後面は上記玉弁37を上下動させるためのガイド面をなす。上記弁孔36と玉弁37とが正立時用空気吸込み防止弁39を形成する。
【００１７】
下部材41は上記上部材周壁24の下部内面へ嵌合させた嵌合筒42を底板43外周から起立し、該底板後部に貫設した第１通路筒44上部を第２通路筒下端へ連通させ、又その第１通路筒上部の前部を切欠き45して既述弁孔36と第１通路筒44上部とを連通させている。尚第１通路筒44内面には内向きフランジを付設して、該フランジ下方の第１通路筒部分内へ吸上げパイプ７の上部を嵌着させている。
【００１８】
図示例において下部材41の底板43下面は装着筒５の下端面とほぼ同一平面に位置するよう設けており、倒立時用液体吸込み孔25は、連結部材14の第１外向きフランジ16と下部材底板43との上下方向中間に位置させて設けている。
【００１９】
上記構成のトリガー式液体噴出容器は、容器正立状態にあっては図２が示すように倒立時用液体吸込み孔25から弁孔36および切欠き45を通って下部材41の第１通路筒44上部内へ連通する倒立時用液体吸込み通路が、玉弁37が弁孔36を閉塞することで倒立時用液体吸込み孔25が容器体内液面上方にあっても上記液体吸込み通路を通って空気を吸込むことはなく、よってトリガー操作によるシリンダ内の負圧化によって吸上げパイプ７、第１、第２、第３通路筒44、32、23、吸込み弁を通ってシリンダ内へ吸込まれ、又トリガー引寄せによるシリンダ内プランジャの後退による高圧化で吸込み弁が閉じ、吐出弁が開いてシリンダ内液体は射出筒前端のノズルから噴出する。
【００２０】
容器体を倒立させると、吸上げパイプ７下端は液面上方へ露出するが、倒立時用液体吸込み通路途中を閉塞していた玉弁37は自重により下方（正立時の上方）へ移動し、よって上記倒立時用液体吸込み通路は開通されるため、該通路を通って容器体内液体はシリンダ内へ吸込みされ、又該シリンダ内液体はノズル10から噴出されるものである。
【００２１】
尚該倒立状態から正立状態に容器を戻すと、再び玉弁37は下降して弁孔36を閉塞し、正立時における空気吸込みを防止する。
【００２２】
上記の正倒立両用トリガー式液体噴出容器において、容器体内への液体補充のために装着筒５を容器体口頸部３から螺脱して噴出器本体４を引き上げたとき、吸上げパイプ７下端が容器体内液体から離れると、空気置換用の透孔９を通って吸上げパイプ７内に空気が入り、すると該吸上げパイプに入っていた液体は該パイプ下端の開口８から流下することとなる。
【００２３】
【発明の効果】
本発明は既述構成とするものであり、正倒立両用のトリガー式液体噴出容器にあっては吸上げパイプ上部に設ける倒立時用液体吸込み通路途中に正立時用空気吸込み防止弁を設けて、容器正立時にあっては上記通路が閉弁され、又容器倒立時には開弁するよう設けているから、噴出器本体を容器体から外して台上等へ載置させた際、上記弁が開弁して吸上げパイプ内液体が漏出する筈であるが、本発明では吸上げパイプに空気置換用透孔を設けたから、噴出器本体を容器体上方へ引上げしてその吸上げパイプ下端が液面を離れると同時にその吸上げパイプ内へ置換用空気が流入することで該パイプ内液体をそのパイプ下端開口から流下させることが出来、よって上記のように噴出器本体を台上等へ載置させた際に吸上げパイプ内液体が流出することを防止できる。
【００２４】
又その空気置換用の透孔は吸上げパイプの下部に穿設したから、その透孔を吸上げパイプの中間部等に設けた場合のように、容器体内に未だ相当量の液体が残っているに拘らず、上記透孔が液面上方へ露出して液体吸上げが不能となることはない。
【００２５】
更に吸上げパイプ下端開口は容器体底部の内壁面に接する等してその開口が小さくなり、液体吸上げが不完全となることも考えられるが、このような場合は上記透孔９も吸込み口となるため、液体吸込み量が不充分となることもない。
【００２６】
請求項２記載のように上記透孔の面積をパイプ下端の開口面積の二分の一以上とすることで、吸上げパイプ内への空気流入が迅速となり、該パイプ内液体の排出を確実かつ容易とすることが出来る。
【図面の簡単な説明】
【図１】    本発明容器の一部を切欠いて示す側面図である。
【図２】    図１要部の拡大断面図である。
【符号の説明】
７…吸上げパイプ                ８…下端開口
９…透孔                        25…倒立時用液体吸込み孔
39…正立時用空気吸込み防止弁
【図１】
0003883757.tif 000002
【図２】
0003883757.tif 000003